(57)【要約】【課題】操作性が良く、患者に対して円滑に穿刺を行うと共に、前記患者の負担を軽減する。【解決手段】管状に形成された穿刺針１６の外周面１６ａには、穿刺針１６の軸線方向に沿って延在し、且つ、半径内方向に窪んだ検出溝２４が形成される。この検出溝２４は、外周面１６ａに対して所定深さで窪んだ第１凹部２６と、第１凹部２６に対してさらに窪んだ第２凹部２８とから構成され、第２凹部２８は、検出溝２４の延在方向に沿って等間隔離間して配置設けられる。また、検出溝２４の両端部は、第１凹部２６と外周面１６ａとの間に設けられた緩やかな曲面３０ａ、３０ｂでそれぞれ接合される。【選択図】図３
2010011914.tif 000002
【特許請求の範囲】
【請求項１】
外針と、該外針の内部に挿通される内針とを有する留置針において、
前記内針は、先端部近傍の外周面に設けられ、該外周面に対して内周側に窪んだ第１凹部と、
前記第１凹部の外面に設けられ、該外面に対して内周側に窪んだ第２凹部とを有する検出溝を備えることを特徴とする留置針。
【請求項２】
請求項１記載の留置針において、
前記内針は、前記外針の内部に挿通された状態で、前記検出溝が前記外針の内部に位置することを特徴とする留置針。
【請求項３】
先端部近傍の外周面に設けられ、該外周面に対して内周側に窪んだ第１凹部と、
前記第１凹部の外面に設けられ、該外面に対して内周側に窪んだ第２凹部とを有する検出溝を備えることを特徴とする穿刺針。
【請求項４】
請求項３記載の穿刺針において、
前記第１凹部の軸線方向に沿った両端部には、前記外周面側に向かって径方向に徐々に拡径して該外周面に接合される接合面を有することを特徴とする穿刺針。
【請求項５】
請求項３又は４記載の穿刺針において、
前記検出溝は、前記穿刺針の軸線方向に沿って延在し、且つ、該穿刺針の中心線を支点とした所定角度となる幅寸法で周方向に沿って形成されることを特徴とする穿刺針。
【請求項６】
請求項３〜５のいずれか１項に記載の穿刺針において、
前記第２凹部は、前記第１凹部の幅方向における中央部に設けられ、前記第１凹部の底面に対して前記穿刺針の内周側に向かって凸状に窪んで形成されることを特徴とする穿刺針。
【請求項７】
請求項３〜５のいずれか１項に記載の穿刺針において、
前記第２凹部は、前記第１凹部の周方向に沿った幅寸法と略同一の幅寸法で形成されることを特徴とする穿刺針。
【発明の詳細な説明】
【技術分野】
【０００１】
本発明は、留置針及び穿刺針に関し、一層詳細には、超音波を利用して穿刺時における位置を検出可能な留置針及び穿刺針に関する。
【背景技術】
【０００２】
例えば、患者に高濃度の栄養剤を輸液する際には、カテーテル（外針）及び穿刺針（内針）を含む留置針を穿刺して心臓に近い静脈まで挿入した後、穿刺針の外周側に設けられたカテーテルだけを血管内に留置し、カテーテルに栄養剤、薬液等の供給される輸液ラインを接続して輸液する。このような留置針を穿刺する場合には、例えば、超音波撮像装置から超音波を発信し、穿刺する血管の位置を確認すると共に、穿刺した穿刺針に前記超音波を照射し、その反射波に基づいて得られた画像によって前記穿刺針の位置を確認しながら施術が行われている。
【０００３】
この留置針は、例えば、管状の外針と、その内部に摺動自在に内挿される内針とを備え、前記内針の外周面に凹状の螺旋溝が形成されている。そして、穿刺針を患者の患部に穿刺し、その穿刺部位に対して超音波撮像装置から超音波を照射することにより、前記螺旋溝内のエア層に前記超音波を反射させて反射波を前記超音波撮像装置で受信することによって前記穿刺針の撮像画像を得ている（例えば、特許文献１参照）。
【０００４】
また、外針を用いずに穿刺する穿刺針でも超音波による確認が行われている。このような穿刺針として、例えば、管状に形成され、その外周面には複数のＶ溝が螺旋状に形成されている。このＶ溝は、外周面に対して所定深さで窪み、穿刺針で患者を穿刺して体内に挿入された際、超音波装置から発せられた超音波が前記Ｖ溝で反射して該超音波装置で検出されることによってその位置が特定される（例えば、特許文献２参照）。
【０００５】
【特許文献１】特許第３１７１５２５号公報
【特許文献２】特開平３−２２８７４８号公報
【発明の開示】
【発明が解決しようとする課題】
【０００６】
しかしながら、特許文献１に係る従来技術においては、留置針を構成する内針の外周面が、凹状の螺旋溝と該螺旋溝の形成されていない部位とから凹凸状に形成されているため、外針を残して内針を抜去する際に、その凹凸状の外周面が外針の内周面に引っ掛かるため、スムーズに操作することができない場合がある。一方、特許文献２に係る従来技術においては、穿刺針の外周面が、Ｖ溝と該Ｖ溝の形成されていない部位とから凹凸状に形成されているため、穿刺針を患者に対して穿刺する際や抜去する際に、その凹凸状の外周面が体内を進む際の抵抗となると共に、該抵抗による患者への負担が増大してしまう懸念がある。
【０００７】
本発明は、前記の課題を考慮してなされたものであり、操作性が良く、且つ、患者に対して円滑に穿刺を行うと共に、前記患者の負担を軽減することが可能な留置針及び穿刺針を提供することを目的とする。
【課題を解決するための手段】
【０００８】
前記の目的を達成するために、本発明は、外針と、該外針の内部に挿通される内針とを有する留置針において、
前記内針は、先端部近傍の外周面に設けられ、該外周面に対して内周側に窪んだ第１凹部と、
前記第１凹部の外面に設けられ、該外面に対して内周側に窪んだ第２凹部とを有する検出溝を備えることを特徴とする。
【０００９】
本発明によれば、内針の先端部近傍における外周面に、該外周面に対して内周側に窪んだ第１凹部と、前記第１凹部の外面に設けられ、該外面に対して内周側に窪んだ第２凹部とからなる検出溝を設ける。そして、内針は、外針の内部に挿通された状態で、検出溝を外針の内部に位置させることにより、前記留置針を患者に穿刺した際、内針の前記検出溝が患者の体内組織に対して直接接触することを回避できる。従って、内針を含む留置針を患者に穿刺する際の抵抗となることがなく、該留置針を円滑に穿刺して施術を行うことができると共に、前記患者への負担も軽減される。
【００１０】
さらに、超音波装置から照射された超音波を第２凹部によって確実且つ好適に反射させることができるため、患者に穿刺された留置針を高精度に確認することができ、該留置針の位置を確認しながら安全且つ確実な手技を行うことが可能となる。
【００１１】
さらにまた、患者から外針を残して内針を抜去する際に、内針の検出溝が外周面に対して窪んでいるため、外針の内周面に引っ掛かることを抑制できるので、スムーズに内針を抜去することができる。
【００１２】
また、本発明は、穿刺針において、先端部近傍の外周面に設けられ、該外周面に対して内周側に窪んだ第１凹部と、
前記第１凹部の外面に設けられ、該外面に対して内周側に窪んだ第２凹部とを有する検出溝を備えることを特徴とする。
【００１３】
本発明によれば、穿刺針の先端部近傍における外周面に、該外周面に対して内周側に窪んだ第１凹部と、前記第１凹部の外面に設けられ、該外面に対して内周側に窪んだ第２凹部とからなる検出溝を設ける。そして、検出溝を有した穿刺針を患者に穿刺した際、検出溝が外周面に対して窪んでいるため、患者の体内組織が第２凹部に対して接触することが回避され、該体内組織が前記第１及び第２凹部からなる凹凸部位に引っ掛かることが防止される。従って、穿刺針を患者に穿刺する際の抵抗となることがなく、該穿刺針を円滑に穿刺して施術を行うことができると共に、前記患者への負担も軽減される。
【００１４】
さらに、超音波装置から照射された超音波を第２凹部によって確実且つ好適に反射させることができるため、患者に穿刺された穿刺針を高精度に確認することができ、該穿刺針の位置を確認しながら安全且つ確実な手技を行うことが可能となる。
【００１５】
さらにまた、第１凹部の軸線方向に沿った両端部に、外周面側に向かって径方向に徐々に拡径して該外周面に接合される接合面を有することにより、前記穿刺針を患者に穿刺した際に、その体内組織が前記第１凹部内に入り込む時の抵抗を軽減することができ、該穿刺針の穿刺抵抗を低減してより円滑に施術を行うことができる。
【００１６】
またさらに、検出溝を、穿刺針の軸線方向に沿って延在させ、且つ、該穿刺針の中心線を支点とした所定角度となる幅寸法で周方向に沿って形成することにより、超音波照射装置によって一層確実に前記穿刺針の先端部近傍を検出することが可能となる。
【００１７】
また、第２凹部を、第１凹部の幅方向における中央部に設け、前記第１凹部の底面に対して前記穿刺針の内周側に向かって凸状に窪ませて形成するとよい。
【００１８】
さらに、第２凹部を、第１凹部の周方向に沿った幅寸法と略同一の幅寸法で形成することにより、前記第２凹部を幅広として超音波照射装置による超音波を確実且つ好適に反射させ、穿刺針の位置検出精度を向上させることができる。
【発明の効果】
【００１９】
本発明によれば、以下の効果が得られる。
【００２０】
すなわち、留置針を構成する内針の先端部近傍における外周面に、該外周面に対して内周側に窪んだ第１凹部と、前記第１凹部の外面に設けられ、該外面に対して内周側に窪んだ第２凹部とからなる検出溝を設けることにより、留置針を患者に穿刺した際、外周面に対して窪んだ前記検出溝の第２凹部が前記患者の体内組織と接触することが回避され、該体内組織が前記第１及び第２凹部からなる凹凸部位に引っ掛かることが防止される。その結果、留置針を患者に穿刺する際に抵抗が生じることがなく、該留置針を円滑に穿刺して施術を行うことができると共に、穿刺時における前記患者への負担も軽減される。
【００２１】
また、穿刺針の先端部近傍における外周面に、該外周面に対して内周側に窪んだ第１凹部と、前記第１凹部の外面に設けられ、該外面に対して内周側に窪んだ第２凹部とからなる検出溝を設けることにより、穿刺針を患者に穿刺した際、外周面に対して窪んだ前記検出溝の第２凹部が前記患者の体内組織と接触することが回避され、該体内組織が前記第１及び第２凹部からなる凹凸部位に引っ掛かることが防止される。その結果、穿刺針を患者に穿刺する際に抵抗が生じることがなく、該穿刺針を円滑に穿刺して施術を行うことができると共に、穿刺時における前記患者への負担も軽減される。
【発明を実施するための最良の形態】
【００２２】
本発明に係る留置針及び穿刺針について好適な実施の形態を挙げ、添付の図面を参照しながら以下詳細に説明する。
【００２３】
図１において、参照符号１０は、本発明の実施の形態に係る留置針を示す。
【００２４】
この留置針１０は、図１及び図２に示されるように、カテーテル（外針）１２と、カテーテル１２を保持する外針ハブ１４と、カテーテル１２の内部に挿通される穿刺針（内針）１６と、穿刺針１６を保持する内針ハブ１８とを有し、内針ハブ１８は、外針ハブ１４の内部に嵌合するように構成されている。そして、内針ハブ１８の端部には、シリンジ２０を接続することができる。
【００２５】
カテーテル１２は、外針本体２２からなり、外針本体２２は、例えば、樹脂製材料から透明に形成されて適度な弾性を有し、穿刺針１６の外周側を覆うように設けられる。この外針本体２２は、穿刺針１６の先端近傍まで達しており、穿刺針１６の先端が血管内に挿入されると、外針本体２２も同一の血管内に挿入されることとなる。
【００２６】
この穿刺針１６は、図３及び図４に示されるように、中空の管体であって、その先端部が軸線に対して斜めに傾斜して形成され、基端部が内針ハブ１８の先端部に保持される。穿刺針１６の外周面１６ａには、軸線方向（矢印Ａ、Ｂ方向）に沿って延在する検出溝２４が設けられる。
【００２７】
検出溝２４は、図３〜図７に示されるように、穿刺針１６の先端部近傍において所定長さで一直線上に形成されると共に、周方向に沿って所定幅で形成される。この検出溝２４は、穿刺針１６の外周面１６ａに対して半径内方向（内周側）に所定深さだけ窪んだ第１凹部２６と、第１凹部２６の外面に設けられ、外面に対して半径内方向（内周側）に深く窪んだ第２凹部２８とを含み、第１凹部２６の軸線方向に沿った両端部は、外周面１６ａに向かって徐々に浅くなり、半径内方向に向かって凹状となる緩やかな曲面（接合面）３０ａ、３０ｂでそれぞれ接合される。
【００２８】
すなわち、検出溝２４は、第１凹部２６と第２凹部２８とで穿刺針１６の外周面１６ａに対して２段階に窪んだ段差状に形成される。なお、第１凹部２６の両端部は、緩やかな曲面３０ａ、３０ｂの代わりに、第１凹部２６の底面に対して小さな角度で傾斜した緩やかなテーパ面で外周面１６ａと接合するようにしてもよい。
【００２９】
第２凹部２８は、第１凹部２６の底面において穿刺針１６の中心側に向かって略半球状に窪み、第１凹部２６の幅方向に沿った略中央部に形成されると共に、第１凹部２６の軸線方向（矢印Ａ、Ｂ方向）に沿って互いに等間隔離間して複数（例えば、５個）設けられる。すなわち、第２凹部２８は、穿刺針１６の内周側に向かって凹状に窪んで形成される。
【００３０】
シリンジ２０は、円筒状のシリンジ本体３２と、シリンジ本体３２の内部に挿入されるプランジャ３４とを含み、プランジャ３４の一端部にはガスケット３６が装着され、プランジャ３４の基端部が、シリンジ本体３２の基端部から外部に突出している。
【００３１】
シリンジ本体３２の先端部には、接続ポート３８が突出し、接続ポート３８を介して内針ハブ１８の基端部に接続される。すなわち、シリンジ２０は、接続ポート３８を通じて内針ハブ１８の内部と連通している。
【００３２】
本発明の実施の形態に係る留置針１０は、基本的には以上のように構成されるものであり、次にその使用方法並びに作用効果について説明する。
【００３３】
先ず、図８に示すように、医師等の医療従事者が穿刺針１６を含む留置針１０を把持して患者４０の血管（静脈）に向かって穿刺し、穿刺針１６を所望部位に向けて徐々に挿入していくことにより、その先端部が体内組織４２を切り開きながら進む。この際、図９に示されるように、穿刺針１６は、カテーテル１２の内部に挿通されており、この状態では、穿刺針１６の検出溝２４はカテーテル１２の内部に位置している。このため、穿刺針１６の検出溝２４は、体内組織４２に接することなく、留置針１０が穿刺される。
【００３４】
一方、留置針１０を患者４０に穿刺すると同時に、超音波エコー装置（超音波照射装置）４４のプローブ４６を患者４０の穿刺部位近傍に対して押し当てエコービーム（超音波）Ｅを照射する。なお、このプローブ４６は、エコービームＥを発生させて反射したエコービームＥを受信可能に構成されている。
【００３５】
このエコービームＥは、患者４０の皮膚表面から内部に向かって照射され、図８に示されるように、カテーテル１２を透過して穿刺針１６の検出溝２４において反射してプローブ４６側に向かって進行して受信される。
【００３６】
そして、穿刺針１６の検出溝２４において反射したエコービームＥがプローブ４６によって受信され、この受信したデータがプローブ４６からリード線４８を通じて超音波エコー装置４４の制御部（図示せず）へと出力されて処理された後、ディスプレイ５０に画像として表示される。詳細には、ディスプレイ５０に表示される穿刺針１６の画像は、超音波エコー装置４４によって検出される検出溝２４の軸線方向（矢印Ａ、Ｂ方向）に沿った長さ分だけ線状に表示され、その先端部が患者４０の血管（静脈）に到達しているか否かをディスプレイ５０から確認することができる。
【００３７】
その結果、穿刺針１６の先端部近傍が、超音波エコー装置４４のディスプレイ５０に画像として鮮明に表示され、留置針１０を構成する穿刺針１６の位置が高精度に確認される。
【００３８】
そして、医師等は、ディスプレイ５０を確認しながら穿刺針１６及びプローブ４６を移動させ、穿刺針１６を患者４０の血管へと導く。このとき、シリンジ２０のプランジャ３４を適度に引きながら留置針１０を進めていく。
【００３９】
この穿刺針１６が血管に正しく穿刺されると、血液がシリンジ２０の接続ポート３８を通じてシリンジ本体３２へと導入されてフラッシュバックが発生する。
【００４０】
このように、穿刺針１６が血管に穿刺されたことが確認された後、カテーテル１２を残して、穿刺針１６及びシリンジ２０を取り除き、カテーテル１２を介して血管内に図示しないガイドワイヤーを挿入した後に、カテーテル１２を除去する。次いで、ガイドワイヤーに沿って、図示しない留置カテーテル（中心静脈カテーテル）を血管内に留置する。次いで、図示しない輸液ラインを留置カテーテルに接続して血管内に栄養剤、薬液等を供給する。
【００４１】
カテーテル１２を残して穿刺針１６を抜去する際には、穿刺針１６は、カテーテル１２の内部（内腔）を通って患者４０の体外に抜去されるため、穿刺時と同様に、穿刺針１６の検出溝２４が体内組織４２に接することがない。また、穿刺針１６の検出溝２４が、外周面１６ａに対して窪んで設けられているため、カテーテル１２の内周面に引っ掛かることも抑制することができる。
【００４２】
以上のように、本実施の形態では、穿刺針１６の外周面１６ａに、外周面１６ａより窪んだ第１凹部２６と、第１凹部２６に対してさらに窪んだ第２凹部２８とからなる検出溝２４を設けることにより、穿刺針１６を患者４０に穿刺する際、又は、抜去する際に生じる抵抗を抑制し、円滑な穿刺作業を行うことができ、それに伴って、穿刺時における患者４０への負担を軽減することができる。
【００４３】
また、穿刺針１６の外周面１６ａに対して窪んだ第１凹部２６に対してさらに第２凹部２８を窪ませることにより、超音波エコー装置４４から照射されたエコービームＥを確実且つ好適に反射させ、超音波エコー装置４４によって検出することができる。その結果、患者４０に穿刺された穿刺針１６の先端部を、超音波エコー装置４４のディスプレイ５０に画像として鮮明に表示し、その位置を高精度に確認することができ、穿刺針１６の位置を確認しながら医師等が安全且つ確実な手技を行うことが可能となる。
【００４４】
すなわち、検出溝２４は、超音波エコー装置４４からの超音波を反射可能な第２凹部２８と、穿刺針１６を穿刺する際に第２凹部２８が体内組織４２と接触することを回避するための第１凹部２６とから構成されている。換言すれば、第１凹部２６は、穿刺針１６の外周面１６ａに密着した体内組織４２から第２凹部２８を逃がすための逃げ溝として機能する。
【００４５】
さらに、穿刺時において、検出溝２４における第２凹部２８とカテーテル１２との間に空間が生じるため、超音波エコー装置４４から照射されたエコービームＥが空間内の空気に反射し、第２凹部２８に反射したエコービームＥと共に超音波エコー装置４４で検出することができる。その結果、穿刺針１６の検出精度をさらに向上させることが可能となる。
【００４６】
次に、第１及び第２変形例に係る穿刺針１００、１２０について説明する。なお、上述した本発明の実施の形態に係る穿刺針１６と同一の構成要素には同一の参照符号を付して、その詳細な説明を省略する。
【００４７】
第１変形例に係る穿刺針１００は、図１０〜図１２に示されるように、検出溝１０２を構成する第２凹部１０４が、穿刺針１００の軸線と直交方向に延在した断面長方形状に形成される点で、本発明の実施の形態に係る穿刺針１６と相違している。第２凹部１０４は、検出溝１０２の軸線方向に沿って等間隔離間して複数（例えば、５個）設けられると共に、穿刺針１００の内周側に向かって凸状に窪んで形成される。また、第２凹部１０４は、穿刺針１００の周方向において第１凹部２６と同一の幅寸法で形成される。
【００４８】
このように、第２凹部１０４を、断面長方形状に形成することにより、本発明の実施の形態に係る穿刺針１６と比較し、第２凹部１０４の面積を大きく確保することが可能となるため、超音波エコー装置４４で穿刺針１００の位置を検出する際の検出精度をより向上させることができ、且つ、穿刺針１００を穿刺する際の抵抗が軽減され患者４０の負担を軽減可能となる。
【００４９】
第２変形例に係る穿刺針１２０は、図１３〜図１５に示されるように、第１及び第２凹部１２２、１２４からなる検出溝１２６が、穿刺針１２０の軸線と直交する周方向に沿って幅広状で形成されると共に、第２凹部１２４の底面が、穿刺針１２０の外周面と略平行となる断面円弧状に形成される点で、第１変形例に係る穿刺針１００と相違している。
【００５０】
この検出溝１２６は、穿刺針１２０の軸線を中心とした所定角度θの範囲で穿刺針１２０の外周面に形成される。この角度θは、例えば、１２０°に設定するとよく、１８０°とするとさらに好適である。すなわち、検出溝１２６を構成する第１凹部１２２と第２凹部１２４とが穿刺針１２０の周方向において同一の幅寸法で形成される。
【００５１】
このように、検出溝１２６を穿刺針１２０の周方向に沿って幅広状に設けることにより、本発明の実施の形態に係る穿刺針１６と比較し、検出溝１２６の面積を大きく確保することが可能となるため、超音波エコー装置４４で穿刺針１２０の位置を検出する際の検出精度をより一層向上させることができ、且つ、穿刺針１２０を穿刺する際の抵抗が軽減され患者４０の負担を軽減できる。
【００５２】
次に、上述した穿刺針１６を有し、薬液等を患者４０に対して注入可能な穿刺具１５０について図１６及び図１７を参照しながら説明する。なお、上述した本実施の形態に係る留置針１０と同一の構成要素には同一の参照符号を付して、その詳細な説明を省略する。
【００５３】
この穿刺具１５０は、穿刺針１６と、穿刺針１６を保持する針ハブ１５２と、シリンジ１５４とを有する。穿刺針１６は、中空の管体であって、その先端部が軸線に対して斜めに傾斜して形成され、基端部が針ハブ１５２の先端部に保持される。そして、穿刺針１６の外周面には、軸線方向（矢印Ａ、Ｂ方向）に沿って延在する検出溝２４が設けられる。なお、この検出溝２４は、上述した留置針１０を構成する穿刺針１６に設けられたものと同一の構成であるため、その詳細な説明は省略する。
【００５４】
シリンジ１５４は、シリンジ本体１５６の先端部に設けられた接続ポート１５８を介して針ハブ１５２に接続され、針ハブ１５２の内部と連通している。
【００５５】
上述した穿刺具１５０を患者４０の血管（静脈）に穿刺する際には、穿刺針１６を穿刺して血管に向かって徐々に挿入していくことにより、その先端部が体内組織４２を切り開きながら進み、穿刺針１６の外周面１６ａが体内組織４２に密着しながら進むこととなる。この際、図１７に示されるように、穿刺針１６の外周面１６ａに対して窪んだ検出溝２４の内部に体内組織４２が入り込むことが抑制され、体内組織４２が検出溝２４を構成する第１及び第２凹部２６、２８の底面に対して接することが回避される。その結果、体内組織４２が、検出溝２４の第２凹部２８に引っ掛かることが阻止される。また、穿刺針１６の外周面１６ａと検出溝２４との接合部位も緩やかな曲面３０ａ、３０ｂで構成されているため、体内組織４２が第１凹部２６内に若干だけ入り込んだ場合でも接合部位に引っ掛かることが防止される。すなわち、穿刺針１６を患者４０の体内に穿刺する際の抵抗が軽減され、円滑に穿刺作業を行うことができる。
【００５６】
また、穿刺針１６の穿刺時において、図示しない超音波エコー装置から照射されたエコービームＥが検出溝２４の第２凹部２８に反射し、第２凹部２８に反射したエコービームＥが超音波エコー装置で検出される。その結果、患者４０に穿刺されている穿刺針１６の先端部位置を確実に検出することができる。
【００５７】
そして、穿刺針１６が血管内に穿刺されたことが確認された後、シリンジ１５４のプランジャ３４を穿刺針１６側（矢印Ａ方向）に向かって押圧し、その内部に充填された薬液等を穿刺針１６を通じて血管へと供給する。
【００５８】
この穿刺針１６を穿刺部位から抜去する場合には、検出溝２４が穿刺針１６の外周面１６ａに対して凹状に窪んで設けられているため、検出溝２４の内部に体内組織４２が入り込むことが抑制され、穿刺針１６が体内組織４２に引っ掛かることがなく、円滑に抜去させることができる。すなわち、穿刺針１６を抜去する際の患者４０への負担が軽減される。このように、上述した留置針１０では、カテーテル１２の内部に挿通した状態で患者４０に穿刺する穿刺針１６をカテーテル１２を用いずに患者４０に穿刺することができる。
【００５９】
また、上述した本実施の形態では、穿刺具１５０が穿刺針１６を有する場合について説明したが、これに限定されるものではなく、例えば、上述した穿刺針１００、１２０を有するものであってもよい。
【００６０】
なお、本発明に係る留置針及び穿刺針は、上述の実施の形態に限らず、本発明の要旨を逸脱することなく、種々の構成を採り得ることはもちろんである。
【図面の簡単な説明】
【００６１】
【図１】図１は、本実施の形態に係る留置針を示す全体構成図である。
【図２】図２は、図１に示す留置針の全体縦断面図である。
【図３】図３は、図２の留置針の先端部近傍を示す拡大断面図である。
【図４】図４は、図３の留置針を構成する穿刺針の先端部を示す拡大斜視図である。
【図５】図５は、図４の穿刺針における検出溝近傍を示す拡大平面図である。
【図６】図６は、図５のＶＩ−ＶＩ線に沿った断面図である。
【図７】図７は、図５のＶＩＩ−ＶＩＩ線に沿った断面図である。
【図８】図８は、留置針を患者に穿刺し、留置針を構成する穿刺針を超音波エコー装置によって検出する様子を示す模式図である。
【図９】図９は、図８の留置針に対して超音波エコー装置からの超音波が照射されて反射した状態を示す拡大図である。
【図１０】図１０は、第１変形例に係る穿刺針の先端部近傍を示す拡大斜視図である。
【図１１】図１１は、図１０の穿刺針における検出溝近傍を示す拡大平面図である。
【図１２】図１２は、図１１のＸＩＩ−ＸＩＩ線に沿った断面図である。
【図１３】図１３は、第２変形例に係る穿刺針の先端部近傍を示す拡大斜視図である。
【図１４】図１４は、図１３のＸＩＶ−ＸＩＶ線に沿った断面図である。
【図１５】図１５は、図１３のＸＶ−ＸＶ線に沿った断面図である。
【図１６】図１６は、穿刺針が用いられた穿刺具を示す全体構成図である。
【図１７】図１７は、図１６の穿刺針の先端部近傍を示す拡大断面図である。
【符号の説明】
【００６２】
１０…留置針                        １２…カテーテル
１６、１００、１２０…穿刺針        ２０、１５４…シリンジ
２４、１０２、１２６…検出溝        ２６、１２２…第１凹部
２８、１０４、１２４…第２凹部      ３０ａ、３０ｂ…曲面
４２…体内組織                      ４４…超音波エコー装置
４６…プローブ                      １５０…穿刺具
１５２…針ハブ
【図１】
2010011914.tif 000003
【図２】
2010011914.tif 000004
【図３】
2010011914.tif 000005
【図４】
2010011914.tif 000006
【図５】
2010011914.tif 000007
【図６】
2010011914.tif 000008
【図７】
2010011914.tif 000009
【図８】
2010011914.tif 000010
【図９】
2010011914.tif 000011
【図１０】
2010011914.tif 000012
【図１１】
2010011914.tif 000013
【図１２】
2010011914.tif 000014
【図１３】
2010011914.tif 000015
【図１４】
2010011914.tif 000016
【図１５】
2010011914.tif 000017
【図１６】
2010011914.tif 000018
【図１７】
2010011914.tif 000019